(57)【要約】      （修正有）【課題】撮影者の視度に応じて撮像画像の合焦状態を確認できるように視度調整可能なディジタルカメラを提供する。【解決手段】遮光フード３の前側壁面部３１に垂直方向Ｖに昇降可能に取り付けられて、ルーペ４を内側面１１０ａから液晶ディスプレイ２の上方に突設するコラム１１０と、コラム１１０の側端部１１０ｂから水平方向Ｈに延びる支持アーム１１１に回動可能に支持されたウォーム軸１２１とウォーム軸１２１の周面に形成されたウォーム１２２とを備えるウォームネジ１２０と、ウォーム１２２に噛合可能に配置されて、ウォームネジ１２０をウォーム軸１２１まわりに回動させてコラム１１０を昇降させる入力ギヤー１３０と、を有して、ルーペ４を液晶ディスプレイ２に対して垂直方向Ｖに遠近移動可能なルーペ位置調整機構１００を備えているディジタルカメラ１。【選択図】図１
2014230147.tif 000002
【特許請求の範囲】
【請求項１】
撮像画像を表示する電子ディスプレイを有するディジタルカメラであって、
前記電子ディスプレイに対する外光の入射を防止する遮光フードと、
前記撮像画像の合焦状態を確認するルーペと、
前記ルーペを前記電子ディスプレイに対して垂直方向に遠近移動可能なルーペ位置調整機構と、を備え、
該ルーペ位置調整機構は、
前記遮光フードの壁面部に垂直方向に昇降可能に取り付けられて、前記ルーペを内側面から前記電子ディスプレイの垂直方向の上方に突設するコラムと、
前記コラムの側端部から水平方向に延びる支持アームに回動可能に支持されたウォーム軸と該ウォーム軸の周面に形成されたウォームとを備えるウォームネジと、
前記ウォームに噛合可能に配置されて、前記ウォームネジを前記ウォーム軸まわりに回動させて前記コラムを昇降させる入力ギヤーと、を備えていることを特徴とする請求項１記載のディジタルカメラ。
【請求項２】
前記コラムは、前記遮光フードの壁面部よりも垂直方向の上方に上昇可能であることを特徴とする請求項１記載のディジタルカメラ。
【請求項３】
前記ルーペ位置調整機構は、前記コラムと前記ルーペとを連結して、前記ルーペを前記電子ディスプレイに対して水平又は垂直に切換可能なヒンジを備えていることを特徴とする請求項１又は２記載のディジタルカメラ。
【請求項４】
前記入力ギヤーの歯溝には、前記ウォームと前記入力ギヤーとの噛み合いを妨げるストッパーが配設されていることを特徴とする請求項１乃至３の何れか１項記載のディジタルカメラ。
【請求項５】
前記ウォームネジの上端には、前記ウォーム軸に一体に取り付けられて、前記ウォームネジを前記ウォーム軸まわりに回動させて前記コラムを昇降させる微調整ノブが設けられていることを特徴とする請求項１乃至４の何れか１項記載のディジタルカメラ。
【発明の詳細な説明】
【技術分野】
【０００１】
本発明は、ディジタルカメラに関するものであって、特に、ルーペを電子ディスプレイに対して遠近移動させて視度調整可能なディジタルカメラを提供する。
【背景技術】
【０００２】
従来より、撮影する被写体を大きく表示して撮像画像の構図を確認しながら撮影できるディジタルカメラとして、撮像画像を表示する液晶ディスプレイと、液晶ディスプレイに対応する四角錐台筒状の遮光フードと、遮光フードの上面に取り付けられて液晶ディスプレイを観察するルーペと、を備えたものが知られている（例えば、特許文献１参照）。
【０００３】
また、撮像画像の合焦状態をルーペで確認する際に、ルーペを通して液晶ディスプレイ全体を見渡せるように、液晶ディスプレイの画面サイズに比例してルーペの焦点距離は長くなるところ、上述したディジタルカメラでは、ルーペの焦点距離と遮光フードの高さとが略同一に設定されている。
【先行技術文献】
【特許文献】
【０００４】
【特許文献１】特開２００１−２５１５４１号公報。
【発明の概要】
【発明が解決しようとする課題】
【０００５】
しかしながら、特許文献１に記載のディジタルカメラは、ルーペが遮光フードに組み込まれて、液晶ディスプレイに対して垂直方向における液晶ディスプレイとルーペとの距離が固定されているため、撮影者の視度によっては、ルーペを通して視る撮像画像がぼやけてしまい、撮像画像の合焦状態を確認し難いという問題があった。
【０００６】
そこで、撮影者の視度に応じて撮像画像の合焦状態を確認できるように視度調整を行うために解決すべき技術的課題が生じてくるのであり、本発明は、この課題を解決することを目的とする。
【課題を解決するための手段】
【０００７】
本発明は上記目的を達成するために提案されたものであり、請求項１記載の発明は、撮像画像を表示する電子ディスプレイを有するディジタルカメラであって、前記電子ディスプレイに対する外光の入射を防止する遮光フードと、前記撮像画像の合焦状態を確認するルーペと、前記ルーペを前記電子ディスプレイに対して垂直方向に遠近移動可能なルーペ位置調整機構と、を備え、該ルーペ位置調整機構は、前記遮光フードの壁面部に昇降可能に取り付けられて、前記ルーペを内側面から前記電子ディスプレイの垂直方向の上方に突設するコラムと、前記コラムの側端部から水平方向に延びる支持アームに回動可能に支持されたウォーム軸と該ウォーム軸の周面に形成されたウォームとを備えるウォームネジと、前記ウォームに噛合可能に配置されて、前記ウォームネジを前記ウォーム軸まわりに回動させて前記コラムを昇降させる入力ギヤーと、を備えているディジタルカメラを提供する。
【０００８】
この構成によれば、ウォームネジが入力ギヤーに連動して回動することで、コラムが垂直方向に昇降することにより、ルーペが電子ディスプレイに対して遠近移動するため、電子ディスプレイに対するルーペの位置を調整して、撮影者の視度に応じて視度調整を行うことができる。
【０００９】
請求項２記載の発明は、前記コラムは、前記遮光フードの壁面部よりも垂直方向の上方に上昇可能であるディジタルカメラを提供する。
【００１０】
この構成によれば、コラムが遮光フードよりも垂直方向の上方に上昇することにより、遮光フードの高さよりも長い焦点距離のルーペであっても、撮影者の視度に応じて視度調整を行うことができる。
【００１１】
請求項３記載の発明は、前記ルーペ位置調整機構は、前記コラムと前記ルーペとを連結して、前記ルーペを前記電子ディスプレイに対して水平又は垂直に切換可能なヒンジを備えているディジタルカメラを提供する。
【００１２】
この構成によれば、ルーペがヒンジを介してコラムに連結されていることにより、ルーペ使用時には、ルーペを展開することができ、ルーペ不使用時には、ルーペを折り畳むことができる。
【００１３】
請求項４記載の発明は、前記入力ギヤーの歯溝には、前記ウォームと前記入力ギヤーとの噛み合いを妨げるストッパーが配設されているディジタルカメラを提供する。
【００１４】
この構成によれば、ストッパーがウォームと入力ギヤーとの間に介在することにより、ウォームネジの回動が制止されると共にコラム及びルーペが位置決めされるため、撮影者の視度に応じて視度調整を行うと共に電子ディスプレイに対するルーペの位置を固定することができる。
【００１５】
請求項５記載の発明は、前記ウォームネジの上端には、前記ウォーム軸に一体に取り付けられて、前記ウォームネジを前記ウォーム軸まわりに回動させて前記コラムを昇降させる微調整ノブが設けられているディジタルカメラを提供する。
【００１６】
この構成によれば、入力ギヤーを回動させてルーペと電子ディスプレイとの距離を調整した後に、微調整ノブを回動させてウォームネジを僅かに回動させることにより、ルーペと電子ディスプレイとの距離を微調整可能なため、撮影者の視度に応じた視度調整を円滑に行うことができる。
【発明の効果】
【００１７】
請求項１記載の発明は、撮影者の視度に応じて、ルーペを電子ディスプレイから遠近移動させて視度調整可能なため、撮像画像の合焦状態を視認することができる。
【００１８】
請求項２の構成によれば、請求項１記載の発明が奏する効果に加えて、焦点距離が遮光フードの高さよりも長いルーペであっても、撮像画像の合焦状態を視認することができる。
【００１９】
請求項３の構成によれば、請求項１又は２記載の発明が奏する効果に加えて、ルーペを省スペースで設けることができる。
【００２０】
請求項４の構成によれば、請求項１乃至３の何れか１項記載の発明が奏する効果に加えて、撮影者の視度に応じた視度調整を行った位置にルーペを位置決めすることができる。
【００２１】
請求項５の構成によれば、請求項１乃至４の何れか１項記載の発明が奏する効果に加えて、撮影者の視度に応じた視度調整を円滑に行うことができる。
【図面の簡単な説明】
【００２２】
【図１】本発明の一実施例に係るディジタルカメラを示す斜視図。
【図２】図１に示すディジタルカメラについて視度調整を行う前の状態を示す斜視図。
【図３】微調整ノブのノブ回動抑制機構を示す斜視図。
【図４】遮光フードを折り畳んでいる状態を示す斜視図。
【図５】遮光フードを折り畳んだ状態を示す斜視図。
【発明を実施するための形態】
【００２３】
本発明は、撮影者の視度に応じて撮像画像の合焦状態を確認できるように視度調整を行うという目的を達成するために、撮像画像を表示する電子ディスプレイを有するディジタルカメラであって、電子ディスプレイに対する外光の入射を防止する遮光フードと、撮像画像の合焦状態を確認するルーペと、ルーペを電子ディスプレイに対して垂直方向に遠近移動可能なルーペ位置調整機構と、を備え、ルーペ位置調整機構は、遮光フードの壁面部に垂直方向に昇降可能に取り付けられて、ルーペを内側面から電子ディスプレイの垂直方向の上方に突設するコラムと、コラムの側端部から水平方向に延びる支持アームに回動可能に支持されたウォーム軸とウォーム軸の周面に形成されたウォームとを備えるウォームネジと、ウォームに噛合可能に配置されて、ウォームネジをウォーム軸まわりに回動させてコラムを昇降させる入力ギヤーと、を備えていることにより実現した。
【実施例】
【００２４】
以下、本発明の一実施例に係るディジタルカメラ１について、図面に基づいて説明する。
【００２５】
本実施例に係るディジタルカメラ１は、図１に示すように、撮像画像を表示する電子ディスプレイとしての液晶ディスプレイ２と、液晶ディスプレイ２に対する外光の入射を防止する遮光フード３と、撮像画像の合焦状態を確認するルーペ４と、ルーペ４を液晶ディスプレイ２に対する垂直方向Ｖに遠近移動可能なルーペ位置調整機構１００と、を備えている。なお、液晶ディスプレイ２は、有機ＥＬディスプレイであっても構わない。
【００２６】
遮光フード３は、後述するように折り畳み可能であり、フード展開時には、液晶ディスプレイ２の周囲を覆うように立設されている。これにより、屋外で撮影する際に、遮光フード３が液晶ディスプレイ２への外光の侵入を防止して、液晶ディスプレイ２に表示される撮像画像が視認し易くなる。
なお、遮光フード３は、折り畳み可能なものに限らず、折り畳みできないものであっても構わない。また、遮光フード３は、ディジタルカメラ１に対して着脱自在なものであっても、ディジタルカメラ１に一体に取り付けられるものであっても構わない。
【００２７】
ルーペ４は、ルーペ位置調整機構１００を介して、遮光フード３の前側壁面部３１に取り付けられている。液晶ディスプレイ２に対するルーペ４の設置距離は、例えば、６５ｍｍに設定されている。ルーペ４の焦点距離は、液晶ディスプレイ２全体を視認できるように設定されるものであり、液晶ディスプレイ２の画面サイズに比例して長くなる。
【００２８】
ルーペ位置調整機構１００は、遮光フード３の前側壁面部３１に液晶ディスプレイ２に対して垂直方向Ｖに昇降可能に取り付けられて、ルーペ４を内側面１１０ａから液晶ディスプレイ２の垂直方向Ｖの上方に突設するコラム１１０と、コラム１１０の側端部１１０ｂに垂直方向Ｖに沿って延設されたウォームネジ１２０と、ウォームネジ１２０に噛み合う入力ギヤー１３０と、ルーペ４とコラム１１０とを連結するヒンジ１４０と、を備えている。
【００２９】
コラム１１０は、遮光フード３の前側壁面部３１に凹設された断面コ字状のスリット３１ａに嵌め込まれている。コラム１１０の側端部１１０ｂには、上部及び下部から垂直方向Ｖに対して垂直な水平方向Ｈに向かって支持アーム１１１が突設されている。
【００３０】
コラム１１０は、遮光フード３の前側壁面部３１よりも垂直方向Ｖの上方に上昇可能になっている。すなわち、前側壁面部３１の上端の高さ（例えば、５０ｍｍ）に加えて、前側壁面部３１の上端より上方に突出したコラム１１０の長さ（例えば、１５ｍｍ）の分だけ、液晶ディスプレイ２とルーペ４とを離間することができる。これにより、遮光フード３の高さよりも長い設置距離（例えば、６５ｍｍ）にルーペ４を上昇させることができる。
【００３１】
ウォームネジ１２０は、支持アーム１１１に回動可能に支持されたウォーム軸１２１と、ウォーム軸１２１の周面に形成されたウォーム１２２とを備えている。ウォームネジ１２０は、入力ギヤー１３０の回動に連動して、ウォーム軸１２１まわりに回動する。ウォーム軸１２１の上端と下端とが支持アーム１１１に軸支されていることにより、コラム１１０がウォームネジ１２０の回動に連動して昇降する。
【００３２】
ウォーム軸１２１の上端には、ウォーム軸１２１と一体に取り付けられて、ウォームネジ１２０をウォーム軸１２１まわりに回動させる微調整ノブ１２３が設けられている。
【００３３】
入力ギヤー１３０は、遮光フード３の前側壁面部３１に突設された回転軸１３１に軸支されている。なお、入力ギヤー１３０としては、例えば、ウォームホイールやヘリカルギア等が用いられる。
【００３４】
入力ギヤー１３０は、遮光フード３の前側壁面３１から外方に突出する突出部分１３２を有している。撮影者は、突出部分１３２を介して入力ギヤー１３０を回転軸１３１まわりに回動させることができる。
【００３５】
入力ギヤー１３０の歯溝には、ウォーム１２２と入力ギヤー１３０との噛み合いを妨げる図示しないストッパーが配設されている。ウォーム１２２がストッパーを配設した歯溝に噛み合うと、ウォームネジ１２０の回動は制止される。なお、符号１３３は、ストッパーを配置した位置、即ち、入力ギヤー１３０の回転限界位置を示すマーカーである。
【００３６】
ストッパーは、ウォーム１２２と入力ギヤー１３０との噛み合いを妨害するものであれば良く、例えば、歯溝に金属片を貼り付けて歯溝を埋め合わせて形成されるものであっても、歯溝に金属片を溶接して歯溝を埋め合わせて形成されるものであっても、歯切りの際に一つの歯溝を歯切りせずに残して形成されるものであっても構わない。
【００３７】
次に、ルーペ４を昇降させて撮影者の視度に応じて視度調整を行う手順について、図２に基づいて説明する。
撮影者がルーペ４を上昇させる際には、入力ギヤー１３０の突出部分１３２を回転軸１３１まわりに時計まわりに回動させる。ルーペ４を下降させる際には、入力ギヤー１３０の突出部分１３２を回転軸１３１まわりに反時計回りに回動させる。なお、ルーペ４の昇降は、上述した入力ギヤー１３０の回動方向を変更して切換可能なため、以下、ルーペ４を上昇させる場合について説明する。
【００３８】
ウォーム１２２が入力ギヤー１３０と噛み合い、ウォームネジ１２０が入力ギヤー１３０の回動に連動してウォーム軸１２１まわりに回動すると、コラム１１０は、ウォームネジ１２０の回動に連動して垂直方向Ｖの上向きに上昇する。
【００３９】
ルーペ４と液晶ディスプレイ２との距離がルーペの焦点距離に一致するまでコラム１１０が上昇し続けると、ストッパーがウォーム１２２と入力ギヤー１３０との間に介在して、ウォームネジ１２０の回動は止まり、ルーペ４とコラム１１０は位置決めされる。したがって、ルーペ４の焦点距離に応じてストッパーを配置することによって、視度調整を簡単に行うことができると共に、ルーペ４を固定することができる。
【００４０】
更に、微調整ノブ１２３を介してウォームネジ１２０を僅かに回動させることにより、ルーペ４とコラム１１０とが僅かに昇降するため、液晶ディスプレイ２に対するルーペ４の位置を微調整することができる。
【００４１】
なお、微調整ノブ１２３の回動を抑制するノブ回動抑制機構を設けるのが好ましい。これにより、ウォームネジ１２０が焦点垂直方向Ｖの外力を受ける等して少しずつ回動してピントがずれることを抑制することができる。
このようなノブ回動抑制機構としては、例えば、図３に示すように、コラム１１０の側端部１１０ｂの上方に取り付けられて薄い金属板から成る歯止め１１２と、微調整ノブ１２３の外周面に設けられて歯止め１１２と係合するラチェット１２４とで構成されるものが考えられる。
歯止め１１２は、板バネ状の中央部１１２ａと、ラチェット１２４に係合する先端爪部１１２ｂとを備えている。これにより、先端爪部１１２ｂは、常時ラチェット１２４に当接して微調整ノブ１２３の回転を防止している。また、微調整ノブ１２３を手動で回動させる際には、先端爪部１１２ｂがラチェット１２４の山を乗り越えて、微調整ノブ１２３は自由に回動することができる。上述したラチェットを用いたものの他、ウェーブワッシャ等を挟んでも同様にウォームネジ１２０の不用意な回動を抑制することができる。
【００４２】
なお、ルーペ４は、ヒンジ１４０を介して前側壁面部３１に取り付けられており、必要に応じて展開することができる。
【００４３】
次に、遮光フード３の折り畳み手順について、図４及び５に基づいて説明する。なお、図４及び図５では、ルーペ位置調整機構１００は省略している。
遮光フード３は、左側壁面部３２及び右側壁面部３３を夫々略半分に折り畳み、後側壁面部３４を前側壁面部３１に向けてスライドさせながら、前側壁面部３１を内側に倒すことにより、遮光フード３をコンパクトに折り畳むことができる。
【００４４】
また、遮光フード３を立ち上げる際には、前側壁面部３１を上側に持ち上げるだけで、ヒンジに設置されたねじりコイルばねの付勢力によって左側壁面部３２及び右側壁面部３３が広がり、遮光フード３を簡便に展開することができる。
【００４５】
これにより、フード格納時には、遮光フード３を小さく折り畳んで省スペースで取り付けられると共に、液晶ディスプレイ２の表面が傷つくことを防止できる。
【００４６】
上述した本実施例に係るディジタルカメラ１によれば、撮影者の視度に応じて、ルーペ４を液晶ディスプレイ２から遠近移動させて視度調整可能なため、撮像画像の合焦状態を視認することができる。
【００４７】
なお、本発明は、本発明の精神を逸脱しない限り種々の改変をなることができ、そして、本発明が該改変されたものにも及ぶことは当然である。
【符号の説明】
【００４８】
１  ・・・  ディジタルカメラ
２  ・・・  液晶ディスプレイ（電子ディスプレイ）
３  ・・・  遮光フード
３１・・・  前側壁面部
３１ａ・・・スリット
３２・・・  左側壁面部
３３・・・  右側壁面部
３４・・・  後側壁面部
４  ・・・  ルーペ
１００・・・  ルーペ位置調整機構
１１０・・・  コラム
１１０ａ・・・内側面
１１０ｂ・・・側端部
１１１・・・  支持アーム
１２０・・・  ウォームネジ
１２１・・・  ウォーム軸
１２２・・・  ウォーム
１２３・・・  微調整ノブ
１３０・・・  入力ギヤー
１３１・・・  回転軸
１３２・・・  突出部分
１３３・・・  マーカー
１４０・・・  ヒンジ
【図１】
2014230147.tif 000003
【図２】
2014230147.tif 000004
【図３】
2014230147.tif 000005
【図４】
2014230147.tif 000006
【図５】
2014230147.tif 000007